(57)【特許請求の範囲】
【請求項１】
第１の演算回路部と、
消費電力が前記第１の演算回路部よりも低い第２の演算回路部と、
前記第１の演算回路部に接続され、前記第１の演算回路部によって制御される第１の表示パネルと、
前記第２の演算回路部に接続され、前記第２の演算回路部によって制御される前記第１の表示パネルより消費電力の少ない第２の表示パネルと、
前記第１の演算回路部及び前記第２の演算回路部に接続され、前記第１の演算回路部又は前記第２の演算回路部から出力される光源制御信号に基づいて発光状態が制御され、前記第１の表示パネル又は前記第２の表示パネルを照明する光源部と、
ユーザによって操作される入力操作部と、
を備え、
前記入力操作部から入力操作が検出されない状態が所定の時間継続した場合、前記第１の演算回路部が、通常動作状態から休止状態へ移行することによって、前記光源部及び前記第１の表示パネルを制御する状態から制御しない状態へ移行するとともに、前記第１の演算回路部が前記第２の演算回路部に所定の通知信号を送信し、前記第２の演算回路部が前記通知信号を受信して前記光源部を制御する状態に切り換える、
ことを特徴とする電子機器。
【請求項２】
前記第１の演算回路部が休止状態になった後も、前記入力操作部の操作により前記第２の演算回路部が前記光源部を点灯する、
ことを特徴とする請求項１に記載の電子機器。
【請求項３】
第１の演算回路部と、
消費電力が前記第１の演算回路部よりも低い第２の演算回路部と、
前記第１の演算回路部に接続され、前記第１の演算回路部によって制御される第１の表示パネルと、
前記第２の演算回路部に接続され、前記第２の演算回路部によって制御される前記第１の表示パネルより消費電力の少ない第２の表示パネルと、
前記第１の演算回路部及び前記第２の演算回路部に接続され、前記第１の演算回路部又は前記第２の演算回路部から出力される光源制御信号に基づいて発光状態が制御され、前記第１の表示パネル又は前記第２の表示パネルを照明する光源部と、
所定のセンシングを行なうセンサ部と、
を備え、
前記センサ部からセンシング結果が検出されない状態が所定の時間継続した場合、前記第１の演算回路部が、通常動作状態から休止状態へ移行することによって、前記光源部及び前記第１の表示パネルを制御する状態から制御しない状態へ移行するとともに、前記第１の演算回路部が前記第２の演算回路部に所定の通知信号を送信して、前記第２の演算回路部が前記通知信号を受信して前記光源部の制御を行うように切り換え、前記第１の演算回路部が休止状態になった後も、前記第２の演算回路部が前記センサ部にセンシング動作を継続させることを特徴とする電子機器。
【請求項４】
前記第２の表示パネルは透過型の液晶表示パネルであって、
前記光源部は前記第１の表示パネル及び前記第２の表示パネルの背面側に配置されていることを特徴とする請求項１又は３に記載の電子機器。
【請求項５】
前記第２の表示パネルは透過型の液晶表示パネルであって、
前記第１の表示パネルと前記第２の表示パネルが、ユーザの視野側から見て平面的に重なるように配置され、前記光源部が前記第１の表示パネル及び前記第２の表示パネルの最背面側に配置されていることを特徴とする請求項１又は３に記載の電子機器。
【請求項６】
第１の演算回路部と、消費電力が前記第１の演算回路部よりも低い第２の演算回路部と、前記第１の演算回路部と接続され、該第１の演算回路部に制御される第１の表示パネルと、前記第２の演算回路部と接続され、該第２の演算回路部に制御される第２の表示パネルと、前記第１の演算回路部と前記第２の演算回路部の双方と接続され、該双方の演算回路部から個別に発光状態が制御され、前記第１の表示パネルと前記第２の表示パネルの双方を照明する光源部と、ユーザによって操作される入力操作部と、を備えた電子機器の制御方法において、
前記第１の表示パネル又は前記第２の表示パネルの表示が更新されないか、又は前記入力操作部から入力操作が検出されない状態が所定の時間継続した場合、前記第１の演算回路部が、通常動作状態から休止状態へ移行する第１の工程と、
前記第１の演算回路部が、前記光源部を制御する状態から前記光源部を制御しない状態へ切り換えるとともに、前記第１の演算回路部が、前記第２の演算回路部に所定の通知信号を送信して、前記第２の演算回路部を前記光源部を制御しない状態から前記光源部を制御する状態に切り換えさせる第２の工程と、
を含むことを特徴とする電子機器の制御方法。
【請求項７】
前記電子機器は、前記ユーザの入力操作に関連する信号を検出する検出部を更に含み、
前記第１の工程は、
前記第１の演算回路部が前記光源部を点灯制御する第１ａ工程と、
前記検出部が、所定時間（ｔ１）、前記ユーザの入力操作に関連する信号を検出しなかったとき、前記第１の演算回路部は前記光源部を減光制御する第１ｂ工程と、を含み、
前記第２の工程は、
前記第１ｂ工程の後、前記検出部が、所定時間（ｔ２）、前記ユーザの入力操作に関連する信号を検出しなかったとき、前記第１の演算回路部が休止状態となるとともに、前記第２の演算回路部が前記光源部を点灯制御する第２ａ工程と、
前記第２ａ工程の後、前記検出部が、所定時間（ｔ３）、前記ユーザの入力操作に関連する信号を検出しなかったとき、前記第２の演算回路部は、前記光源部を消灯制御する第２ｂ工程と、
を含むことを特徴とする請求項６に記載の電子機器の制御方法。
【請求項８】
更に、前記第２ｂ工程の後、前記検出部が、前記ユーザの入力操作に関連する信号を検出したとき、前記第１の演算回路部が休止状態から復帰し、前記光源部を点灯制御する第３の工程を含むことを特徴とする請求項７に記載の電子機器の制御方法。
【請求項９】
第１の演算回路部と、消費電力が前記第１の演算回路部よりも低い第２の演算回路部と、前記第１の演算回路部に接続され、前記第１の演算回路部によって制御される第１の表示パネルと、前記第２の演算回路部に接続され、前記第２の演算回路部によって制御される前記第１の表示パネルより消費電力の少ない第２の表示パネルと、前記第１の演算回路部及び前記第２の演算回路部に接続され、前記第１の演算回路部又は前記第２の演算回路部から出力される光源制御信号に基づいて発光状態が制御され、前記第１の表示パネル又は前記第２の表示パネルを照明する光源部と、ユーザによって操作される入力操作部と、を備えた電子機器の前記第１の演算回路部を、
前記入力操作部から入力操作が検出されない状態が所定の時間継続した場合、前記第１の演算回路部が通常動作状態から休止状態へ移行する手段、
前記第１の演算回路部が、前記光源部を制御する状態から前記光源部を制御しない状態へ切り換える手段、
前記第２の演算回路部に所定の通知信号を送信して、前記第２の演算回路部を前記光源部を制御しない状態から前記光源部を制御する状態に切り換えさせる手段、
として機能させることを特徴とする電子機器の制御プログラム。
【発明の詳細な説明】
【技術分野】
【０００１】
本発明は、利用者が装着又は携帯する電子機器に関し、特に、光源装置を有する表示装置を備えた電子機器及びその制御方法、制御プログラムに関する。
【背景技術】
【０００２】
近年、人体に装着して、ランニングやサイクリング、スイミング、トレッキング等の運動時や、日常生活における各種のデータを記録して分析するための様々な製品が開発され、利用者の身体に装着して、運動時に収集したり分析したりした運動データ等を利用者に提供する機能を備えた、いわゆるスポーツウォッチが市販されている。また、携帯電話機やスマートフォン（高機能型携帯電話機）、タブレット端末等の携帯型の電子機器も広く普及している。このような携帯型の電子機器の大半は、利用者に各種の情報を提供するための表示装置を備えている。
【０００３】
ここで、このような携帯型の電子機器には様々な方式の表示装置が適用されているが、高い表示品質や画面輝度を実現するための表示装置として、透過型の表示パネルとバックライトとを備えたものが多用されている。しかしながら、このような表示装置においては、一般に、バックライトや演算回路の消費電力が大きく、電子機器の駆動時間が短くなってしまうという問題を有している。そのため、バックライトを含む表示装置の省電力化に関する種々の手法が提案されている。
【０００４】
例えば特許文献１には、表示装置の動作モードとして、通常モードと省電力モードとを有し、省電力モードでは表示パネルに表示する映像の輝度に対して、バックライトから出射する光の輝度の特性に基づいてバックライトの発光光量を制御することにより、映像の輝度の低下を抑制しつつ、消費電力を削減する手法が開示されている。
【先行技術文献】
【特許文献】
【０００５】
【特許文献１】特開２０１４−１４２４８０号公報
【発明の概要】
【発明が解決しようとする課題】
【０００６】
上述したスポーツウォッチやスマートフォンをはじめ、近年の携帯型の電子機器においては、例えば、加速度センサやジャイロセンサ（角速度センサ）、ＧＰＳ（Global Positioning System；全地球測位システム）による測位センサ等のセンサ類や、各種のデータ通信機能等を備えている。これらのセンサ類や通信機能は、電子機器の携帯時や使用時には、常時動作を行うように設定され、また、それらにより取得された各種の情報が、表示装置を介して利用者に提供されるため、常時電力が消費される。すなわち、電子機器の高機能化に伴って電力消費量が増大する傾向にあるため、上記特許文献１に開示されているような構成では省電力化が十分でなく、電子機器の駆動時間を長くするために、電子機器のさらなる省電力化が求められている。
【０００７】
そこで、本発明は、上述した問題点に鑑みて、電力の消費を抑制して電子機器の駆動時間を改善することができる電子機器及びその制御方法、制御プログラムを提供することを目的とする。
【課題を解決するための手段】
【０００８】
本発明の一態様は、
第１の演算回路部と、
消費電力が前記第１の演算回路部よりも低い第２の演算回路部と、
前記第１の演算回路部に接続され、前記第１の演算回路部によって制御される第１の表示パネルと、
前記第２の演算回路部に接続され、前記第２の演算回路部によって制御される前記第１の表示パネルより消費電力の少ない第２の表示パネルと、
前記第１の演算回路部及び前記第２の演算回路部に接続され、前記第１の演算回路部又は前記第２の演算回路部から出力される光源制御信号に基づいて発光状態が制御され、前記第１の表示パネル又は前記第２の表示パネルを照明する光源部と、
ユーザによって操作される入力操作部と、
を備え、
前記入力操作部から入力操作が検出されない状態が所定の時間継続した場合、前記第１の演算回路部が、通常動作状態から休止状態へ移行することによって、前記光源部及び前記第１の表示パネルを制御する状態から制御しない状態へ移行するとともに、前記第１の演算回路部が前記第２の演算回路部に所定の通知信号を送信し、前記第２の演算回路部が前記通知信号を受信して前記光源部を制御する状態に切り換える、
ことを特徴とする電子機器である。
【発明の効果】
【００１２】
本発明によれば、光源装置を備えた電子機器の消費電力を抑制して、駆動時間を改善することができる。
【図面の簡単な説明】
【００１３】
【図１】本発明に係る電子機器の具体例を示す概略斜視図である。
【図２】本発明に係る電子機器の第１の実施形態を示す概略ブロック図である。
【図３】第１の実施形態に係る電子機器に適用される光源装置の一例を示す概略ブロック図である。
【図４】第１の実施形態に係る電子機器の制御方法の一例を示すフローチャートである。
【図５】第１の実施形態に係る電子機器の制御方法の一例を示すタイミングチャートである。
【図６】第１の実施形態の作用効果を説明するための比較例を示す図である。
【図７】本発明に係る電子機器の第２の実施形態を示す概略ブロック図である。
【発明を実施するための形態】
【００１４】
以下に、本発明に係る電子機器及びその制御方法、制御プログラムについて、実施形態を示して詳しく説明する。
【００１５】
＜第１の実施形態＞
（光源装置、電子機器）
図１は、本発明に係る電子機器の具体例を示す概略斜視図である。また、図２は、本発明に係る電子機器の第１の実施形態を示す概略ブロック図であり、図３は、本実施形態に係る電子機器に適用される光源装置の一例を示す概略ブロック図である。
【００１６】
本発明に係る電子機器１０は、例えば図１（ａ）〜（ｃ）に示すように、少なくとも各種の情報を表示するための表示パネル４０を備えた構成を有している。ここで、電子機器１０は、例えば図１（ａ）に示すように、腕時計型やリストバンド型の外観を有し、ユーザ（利用者）の身体に装着されるスポーツウォッチやスマートウォッチであってもよいし、図１（ｂ）に示すようなスマートフォンや携帯電話機であってもよいし、図１（ｃ）に示すようなアウトドアで使用する各種の携帯機器（例えばＧＰＳロガー）であってもよい。なお、図１（ａ）〜（ｃ）において、３０はボタンスイッチ等の入力操作部であり、５０はスピーカやブザー等の出力部である。
【００１７】
本実施形態に係る電子機器１０は、具体的には、例えば図２に示すように、２組の演算回路部（第１の演算回路部）１００と演算回路部（第２の演算回路部）２００とを有している。演算回路部１００には、少なくとも入力操作部（検出部）１２０と、メモリ部１４０と、光源部３００と、表示部（第１の表示パネル）４００とが接続されている。また、演算回路部２００には、少なくともセンサ部（検出部）２１０と、入力操作部（検出部）２２０と、出力部２３０と、メモリ部２４０と、光源部３００とが接続されている。ここで、入力操作部１２０、メモリ部１４０、及び、表示部４００は、本発明に係る、演算回路部１００に接続される周辺回路部である。
【００１８】
演算回路部１００は、ＣＰＵ（中央演算処理装置）やＭＰＵ（マイクロプロセッサ）等の演算装置であって、所定の制御プログラムやアルゴリズムプログラムを実行することにより、入力操作部１２０における操作信号に応じた制御や、後述する表示部４００における各種の情報の表示等を制御する。また、演算回路部１００は、連携通信部１５０を備え、後述する演算回路部２００との間で所定の通知信号を送受信することにより、演算回路部２００と連携かつ同期して光源部３００の点灯、消灯状態や、発光輝度（又は、発光量）を制御する。連携通信部１５０は、例えば公知のＵＡＲＴやＩ２Ｃ等の同期シリアル通信規格の接続ポートを有し、後述する連携通信部２５０に接続することにより、少なくとも光源部３００の点灯、消灯状態や、発光輝度（又は、発光量）を制御するための所定の通知信号を送受信する。なお、本実施形態に係る電子機器１０の制御方法ついては詳しく後述する。
【００１９】
ここで、本実施形態に適用される演算回路部１００は、少なくとも、表示部４００における高機能な表示（例えば、高精細な静止画や動画のカラー表示や視覚効果等）を制御することができる程度の処理能力を有している。すなわち、演算回路部１００は、比較的処理能力が高い演算回路が適用される。そして、このような演算回路は、一般に高い動作周波数で各種の処理動作を実行するため消費電力が比較的大きなものとなる。これは換言すると、演算回路部１００として、比較的処理能力が高く、かつ、消費電力の比較的高い演算回路（ハイパワー、ハイパフォーマンスのプロセッサ）を適用する必要があることを意味する。ここで、演算回路部１００において実行される制御プログラムやアルゴリズムプログラムは、メモリ部１４０に保存されているものであってもよいし、演算回路部１００の内部に予め組み込まれているものであってもよい。
【００２０】
入力操作部１２０は、例えば、後述する表示部４００に設けられる表示パネル（図１（ａ）〜（ｃ）に示した表示パネル４０に相当する）の視野側に配置されたタッチパネル等の入力手段であり、ユーザの入力操作に起因する各種の操作信号を演算回路部１００に出力する。これにより、演算回路部１００において、表示部４００に表示する項目や情報の選択や設定等が行われる。
【００２１】
メモリ部１４０は、演算回路部１００において所定の制御プログラムやアルゴリズムプログラムを実行する際に使用するデータやその際に生成されるデータ、表示部４００に表示するためのデータ等を保存する。また、メモリ部１４０は、演算回路部１００において実行される制御プログラムやアルゴリズムプログラムが保存されるものであってもよい。なお、メモリ部１４０は、その一部又は全部が、例えばメモリカード等のリムーバブル記憶媒体としての形態を有し、電子機器１０に対して着脱可能に構成されているものであってもよい。
【００２２】
演算回路部２００は、上述した演算回路部１００と同様に、ＣＰＵやＭＰＵ等の演算装置であって、所定の制御プログラムやアルゴリズムプログラムを実行することにより、センサ部２１０におけるセンシング動作や、入力操作部２２０における操作信号に応じた制御、出力部２３０における各種の情報の提供等を制御する。また、演算回路部２００は、上述した演算回路部１００に設けられた連携通信部１５０と同等の構成を有する連携通信部２５０を備え、上述した演算回路部１００との間で所定の通知信号を送受信することにより、演算回路部１００と連携かつ同期して光源部３００を制御する。
【００２３】
ここで、本実施形態に適用される演算回路部２００は、周期的にセンシング動作を行うセンサ部２１０等を制御することができる程度の処理能力を有していればよい。すなわち、演算回路部２００は、比較的処理能力が低い演算回路を適用することができる。そして、このような演算回路は、一般に低い動作周波数で処理動作を実行すればよいため動作時の消費電力を比較的小さく抑えることができる。これは換言すると、演算回路部２００として、電子機器１０に時計等の用途のために既に備えられた、比較的処理能力が低く、かつ、消費電力の比較的低い演算回路（ローパワー、ローパフォーマンスのプロセッサ）を適用することができることを意味する。すなわち、演算回路部２００は、動作周波数が演算回路部１００の動作周波数より低く、処理能力が演算回路部１００の処理能力より低く、動作時の消費電力が演算回路部１００の消費電力より低いものである。ここで、演算回路部２００において実行される制御プログラムやアルゴリズムプログラムは、メモリ部２４０に保存されているものであってもよいし、演算回路部２００の内部に予め組み込まれているものであってもよい。
【００２４】
センサ部２１０は、加速度センサやジャイロセンサ、地磁気センサ、気圧センサ、温湿度センサ、脈拍センサ、心拍センサ等のセンサ手段や、ＧＰＳ受信部を備えた測位手段であり、ユーザの運動中や日常生活における物理的、生体的、地理的な各種のデータ（以下、「センサデータ」と総称する）を取得して演算回路部２００に出力する。ここで、加速度センサやジャイロセンサ、地磁気センサ等のセンサ類は、ユーザの運動中、例えば毎秒１００回以上の周期（１００Ｈｚ以上のサンプリング周波数）でセンシング動作を実行してセンサデータを演算回路部２００に出力する。また、ＧＰＳによる測位手段は、例えば１〜数秒に１回程度の周期でセンシング動作を実行して測位データを演算回路部２００に出力する。
【００２５】
入力操作部２２０は、例えば電子機器１０の筐体に設けられたボタンスイッチやスライドスイッチ、マイク等の入力手段であり、ユーザの入力操作に起因する各種の操作信号を演算回路部２００に出力する。これにより、演算回路部２００において、上述したセンサ部２１０におけるセンシング動作の設定や制御、表示部４００に表示する項目や情報の選択や設定等が行われる。
【００２６】
出力部２３０は、ブザーやスピーカ等の音響手段や、振動モータや振動子等の振動手段であり、所定の音色や音パターン、音声メッセージ等の音情報、あるいは、所定の振動パターンやその強弱等の振動情報を発生することにより、聴覚や触覚を通してユーザに各種の情報を提供又は報知する。ここで、出力部２３０は、後述する表示部４００に表示される各種の情報等に連動して、所定の音情報や振動情報を発生させるものであってもよい。
【００２７】
メモリ部２４０は、センサ部２１０により取得したセンサデータ等を所定の記憶領域に保存する。また、メモリ部２４０は、演算回路部２００において所定の制御プログラムやアルゴリズムプログラムを実行する際に使用するデータやその際に生成されるデータ等を保存する。また、メモリ部２４０は、演算回路部２００において実行される制御プログラムやアルゴリズムプログラムが保存されるものであってもよい。なお、メモリ部２４０は、上述した演算回路部１００に接続されたメモリ部１４０と一体的に構成されているものであってもよい。
【００２８】
光源部３００は、図３（ａ）に示すように、光源３１０と、光源駆動回路３２０と、制御信号選択回路３３０とを備え、後述する表示部４００に設けられる表示パネルの表示状態や入力操作部１２０、２２０におけるユーザの入力操作に応じて、所定の発光状態で光源３１０を点灯制御する。光源３１０は、例えば表示パネルの背面側（ユーザの視野側とは反対側）に配置され、例えば、複数のＬＥＤ（発光素子）と、導光板や光拡散フィルム等の各種の光学部材とを用いた面光源が適用され、光源３１０の発光輝度に応じて表示パネルの表示輝度が制御される。なお、光源３１０は表示パネルの背面側に配置されるバックライトをなす構成に限るものではなく、表示パネルの視野側に配置されてフロントライトをなす構成のものであってもよい。制御信号選択回路３３０は、図２、図３（ａ）に示すように、相互に連携する演算回路部１００及び演算回路部２００の動作状態に応じて、演算回路部１００及び演算回路部２００から出力される制御信号（光源制御信号；光源３１０の点灯、消灯状態を設定する点灯制御信号ＥＮ、光源３１０の発光輝度を設定する調光信号ＰＷＭ）を光源駆動回路３２０に供給する。ここで、本実施形態において、点灯制御信号ＥＮ及び調光信号ＰＷＭは、後述するように演算回路部１００と演算回路部２００の何れか一方から出力されるように構成されており、制御信号選択回路３３０は、演算回路部１００から点灯制御信号ＥＮ１及び調光信号ＰＷＭ１が出力されているときは、当該信号を点灯制御信号ＥＮ及び調光信号ＰＷＭとして光源駆動回路３２０に供給し、演算回路部２００から点灯制御信号ＥＮ２及び調光信号ＰＷＭ２が出力されているときは、当該信号を点灯制御信号ＥＮ及び調光信号ＰＷＭとして光源駆動回路３２０に供給する。そして、光源駆動回路３２０は、制御信号選択回路３３０を介して供給される制御信号に基づいて、光源３１０に光源駆動信号を供給することにより、光源３１０の点灯（ＯＮ）、消灯（ＯＦＦ）状態及び発光輝度を制御する。
【００２９】
ここで、制御信号選択回路３３０は、例えば図３（ｂ）に示すように、２組の論理和回路（以下、「ＯＲ回路」と記す）３３１とＯＲ回路３３２とを備えた構成を適用することができる。ＯＲ回路３３１は、演算回路部１００及び演算回路部２００から出力される各調光信号ＰＷＭ１、ＰＷＭ２を入力とし、その論理和出力を調光信号ＰＷＭとして光源駆動回路３２０に出力する。また、ＯＲ回路３３２は、演算回路部１００及び演算回路部２００から出力される各点灯制御信号ＥＮ１、ＥＮ２を入力とし、その論理和出力を点灯制御信号ＥＮとして光源駆動回路３２０に出力する。これにより、演算回路部１００及び演算回路部２００のいずれか一方から制御信号が出力されているときに、その制御信号が調光信号や点灯制御信号として光源駆動回路３２０に出力される。
【００３０】
なお、本実施形態においては、図３（ａ）、（ｂ）に示すように、光源駆動回路３２０と制御信号選択回路３３０とを、別個の構成として図示したが、光源部３００は、この構成に限定されるものではなく、例えば、制御信号選択回路３３０が光源駆動回路３２０の内部に設けられているものであってもよい。また、図３（ｂ）に示した制御信号選択回路３３０の回路構成は、一例を示したものに過ぎず、同等の機能を実現することができるものであれば、他の回路構成を有するものであってもよい。
【００３１】
表示部４００は、図示を省略するが、透過型の表示パネルと、画像メモリと、表示ドライバとを備えている。表示パネルは、例えば透過型のＴＦＴ（Thin Film Transistor）カラー液晶パネルを適用することができ、演算回路部１００において生成される各種の情報を所定の形態で表示する。ここで、本実施形態においては、表示部４００は、例えば高機能な表示（高精細な静止画や動画のカラー表示や視覚効果等）が実現されるように制御される。すなわち、透過型のカラー表示パネルの特性に基づいて、表示パネルに所定のカラー画像等を表示した状態で、背面側に設けられた光源を点灯することにより、高輝度なカラー画像がユーザにより視認される。特に、本実施形態においては、表示パネルに表示されるカラー画像等の表示状態やユーザによる入力操作に応じて、演算回路部１００又は演算回路部２００により、光源部３００に設けられる光源３１０の発光状態（発光、消灯状態及び発光輝度）が制御される。
【００３２】
そして、上述した各構成は、図２に示すように、電源部５００から供給される駆動電力によりそれぞれの機能を実現する。ここで、電源部５００は、携帯型の電子機器１０においては、例えば市販のコイン型電池やボタン型電池等の一次電池、リチウムイオン電池やニッケル水素電池等の二次電池が適用される。また、電源部５００は、上記の一次電池や二次電池のほか、振動や光、熱、電磁波等のエネルギーにより発電する環境発電（エナジーハーベスト）技術による電源等を単独で、あるいは、併用して適用するものであってもよい。
【００３３】
なお、上述した実施形態（図２、図３）においては図示を省略したが、演算回路部１００や演算回路部２００には、電子機器１０の外部に設けられた機器（以下、「外部機器」と記す）との間で、有線や無線を用いた所定の通信方式により、各種のデータや信号を送受信する通信インターフェース部（以下、「通信Ｉ／Ｆ部」と略記する）を備えるものであってもよい。ここで、（ハイパワー・ハイパフォーマンスの）演算回路部１００に通信Ｉ／Ｆ部を設け、無線通信により外部機器（例えばスマートフォンやパーソナルコンピュータ等の高機能の情報処理装置）との間でデータ等を送受信する場合には、ブルートゥース（Bluetooth（登録商標））通信やワイファイ（Wi-Fi；wireless fidelity（登録商標））通信等の、比較的容量の大きいデータを高速で送受信することができる無線通信方式が適用される。また、演算回路部２００に設けられた通信Ｉ／Ｆ部において、有線通信により外部機器との間でデータ等を送受信するには、例えばＵＳＢ（Universal Serial Bus）規格等における高速大容量の通信規格に対応した有線通信方式が適用される。一方、（ローパワー・ローパフォーマンスの）演算回路部２００に通信Ｉ／Ｆ部を設け、無線通信により外部機器（例えば身体の他の部位に装着したセンサ機器）との間でデータ等を送受信する場合には、例えばブルートゥースローエナジー（Bluetooth（登録商標） low energy（LE））通信等の、低消費電力の無線通信方式が適用される。また、演算回路部２００に設けられた通信Ｉ／Ｆ部において、有線通信により外部機器との間でデータ等を送受信する場合には、例えばＵＳＢ規格等の、低消費電力で比較的低速の有線通信方式が適用される。
【００３４】
（電子機器の制御方法）
次に、本実施形態に係る電子機器の制御方法について説明する。ここでは、図１に示したような携帯型の電子機器１０をユーザが身体に装着又は携帯して、ランニングやウォーキング等の運動や日常生活を行った場合において、各種の情報を表示パネル４０に表示して提供する際の制御方法について説明する。ここで、以下に示す一連の処理動作は、演算回路部１００及び演算回路部２００において所定のアルゴリズムプログラムを実行することにより実現される。
【００３５】
図４は、本実施形態に係る電子機器の制御方法の一例を示すフローチャートである。図５は、本実施形態に係る電子機器の制御方法の一例を示すタイミングチャートである。ここでは、上述した電子機器及び光源装置の構成（図２、図３参照）を適宜参照しながら説明する。
【００３６】
本実施形態に係る電子機器の制御方法においては、例えば図４のフローチャート及び図５のタイミングチャートに示すように、まず、ユーザの身体に装着（又は携帯）された電子機器１０において、動作電源が投入されると電源部５００から駆動電力が供給されて、通常動作が実行される。この通常動作においては、演算回路部１００により生成された各種の情報が表示部４００の表示パネルに所定の形態で表示されるとともに、表示パネルの背面側に設けられた光源３１０が点灯状態に制御される（ステップＳ１０２）。具体的には、演算回路部１００は、表示パネルに表示するカラー画像等の表示状態に応じて生成した、光源３１０を点灯（ＯＮ）状態に設定する点灯制御信号ＥＮ１、及び、発光輝度を設定する調光信号ＰＷＭ１を、制御信号選択回路３３０を介して光源駆動回路３２０に出力する。これにより、光源３１０が調光信号ＰＷＭ１のパルス幅に応じた所定の発光輝度で点灯して、表示パネルの背面側から光が照射されることにより、表示部４００に表示された情報（画面表示）がユーザに視認される。
【００３７】
次いで、上述した通常動作において、図５に示すように、例えば、表示パネルの画面表示が更新されず、かつ、ユーザによる入力操作が検出されない状態が、所定の時間（t1）継続した場合（ステップＳ１０４）には、演算回路部１００は、低消費電力動作を実行する。この低消費電力動作においては、演算回路部１００は、パルス幅を短く設定した調光信号ＰＷＭ１を、制御信号選択回路３３０を介して光源駆動回路３２０に出力することにより、光源３１０の発光輝度を減光する（ステップＳ１０６）。
【００３８】
ここで、所定の時間（t1）の経過は、演算回路部１００により計測（タイムカウント）される。また、本実施形態においてユーザによる入力操作（図４、図５中では「ユーザ操作」と略記）とは、例えばユーザが入力操作部１２０のタッチパネルや入力操作部２２０のボタンスイッチ等を意識的に操作した場合や、静止状態（例えばテーブル上に静止して置いた状態）にある電子機器１０を持ち上げたり、特定の振動や衝撃、傾斜等を与えたりする動作に相当する。入力操作部１２０のタッチパネルにおける操作は、演算回路部１００により直接検出される。また、入力操作部２２０のボタンスイッチ等における操作は、演算回路部２００により検出されて、その検出結果が通知信号により演算回路部１００に送信される。また、電子機器１０を持ち上げたり、特定の振動や衝撃、傾斜等を与えたりする動作は、センサ部２１０の各種センサ（例えば加速度センサ等）からの出力が演算回路部２００により監視されて、その監視結果が通知信号により演算回路部１００に送信される。
【００３９】
次いで、上述した低消費電力動作における減光状態において、図５に示すように、画面表示の更新が行われず、かつ、ユーザによる入力操作が検出されない状態が所定の時間（t2）継続した場合（ステップＳ１０８）には、演算回路部１００は演算回路部２００に所定の通知信号を送信して（ステップＳ１１０）、休止状態に移行する（ステップＳ１１２）。具体的には、演算回路部１００は、動作状態の移行を通知する通知信号を、連携通信部１５０、２５０を介して演算回路部２００に送信して、光源３１０の制御を演算回路部２００により行うように切り替えた（移管した）後、連携通信部１５０の、演算回路部２００から通知される、動作状態の移行を通知する通知信号を受ける部分を除いて、光源３１０の制御を含む大半の機能を休止した休止状態に移行する。ここで、所定の時間（t2）の経過は、演算回路部１００により計測（タイムカウント）される。また、演算回路部１００の休止状態への移行は、演算回路部１００又は演算回路部２００により、例えば電源部５００における演算回路部１００への駆動電力の供給を遮断又は抑制することにより実現される。また、光源３１０の制御を移管された演算回路部２００は、上述した減光状態を維持するように、パルス幅を短く設定した調光信号ＰＷＭ２を、制御信号選択回路３３０を介して光源駆動回路３２０に出力する（ステップＳ１１２）。
【００４０】
次いで、図５に示すように、演算回路部２００による光源３１０の制御開始から、画面表示の更新が行われず、かつ、ユーザによる入力操作が検出されない状態が所定の時間（t3）継続した場合（ステップＳ１１４）には、演算回路部２００は光源３１０を消灯して、表示部４００における画面表示を停止する（ステップＳ１１６）。具体的には、演算回路部２００は、光源３１０を消灯（ＯＦＦ）状態に設定する点灯制御信号ＥＮ２を、制御信号選択回路３３０を介して光源駆動回路３２０に出力することにより、光源３１０を消灯するとともに、所定の待機状態に移行する。ここで、所定の時間（t3）の経過は、演算回路部２００により計測（タイムカウント）される。この待機状態（光源３１０の消灯状態）においては、演算回路部２００は、少なくとも表示部４００における画面表示の更新や、ユーザによる入力操作の有無を常時又は所定の時間間隔で監視する動作を行う。
【００４１】
次いで、上述した待機状態において、図５に示すように、表示部４００における画面表示の更新や、ユーザによる入力操作を検出した場合（ステップＳ１１８）には、演算回路部２００は、演算回路部１００に所定の通知信号を送信して（ステップＳ１２０）、光源３１０の制御を演算回路部１００により行うように切り替えた（移管した）後、光源３１０の制御に関する機能を休止する。具体的には、演算回路部２００は、動作状態の移行を通知する通知信号を、連携通信部２５０、１５０を介して演算回路部１００に送信して、演算回路部１００を休止状態から通常動作に復帰させる（ステップＳ１２２）。これにより、光源３１０の制御を演算回路部１００により行うように切り替えられる（移管される）（ステップＳ１２４又はステップＳ１０２）。ここで、演算回路部１００の休止状態から通常動作への復帰は、演算回路部１００又は演算回路部２００により、例えば電源部５００から演算回路部１００に駆動電力を供給又は回復させることにより実現される。また、光源３１０の制御を移管された演算回路部１００は、表示パネルに表示する画面表示の表示状態に応じて、光源３１０を点灯（ＯＮ）状態に設定する点灯制御信号ＥＮ１、及び、発光輝度を設定する調光信号ＰＷＭ１を、制御信号選択回路３３０を介して光源駆動回路３２０に出力する。これにより、光源３１０が調光信号ＰＷＭ１のパルス幅に応じた所定の発光輝度で点灯して、表示パネルの背面側から光が照射されることにより、表示パネルの画面表示がユーザに視認される。
【００４２】
また、演算回路部２００は、演算回路部１００が通常動作に復帰した状態においては、少なくとも光源３１０の発光制御やユーザによる入力操作の有無を監視する動作を停止して、低消費電力でセンサ部２１０におけるセンシング動作や時計表示動作等を行う。ここで、演算回路部２００は、演算回路部１００と同様に、処理動作に応じた消費電力の使用量に基づいて、通常動作や低消費電力動作に切り換え制御されることが好ましい。例えば図５に示すように、演算回路部１００が休止状態においては、演算回路部２００は通常動作を実行して光源３１０の発光制御や、ユーザによる入力操作を監視する動作を行う。そして、演算回路部１００が通常動作に復帰した状態においては、演算回路部２００はこれらの動作を停止して、低消費電力動作を実行する。
【００４３】
なお、図４に示したフローチャートにおいては図示を省略したが、演算回路部１００、２００は、上述した一連の処理動作の実行中、処理動作を中断又は終了させる入力操作や動作状態の変化を常時監視して、当該入力操作や状態変化を検出した場合には、処理動作を強制的に終了する。具体的には、演算回路部１００、２００は、ユーザによる動作電源の遮断（ＯＦＦ）操作や、電源部５００における電池残量の低下、実行中の機能やアプリケーションの異常等を検出して、一連の処理動作を強制的に中断して終了する。
【００４４】
また、図４に示したフローチャートにおいて、演算回路部１００を休止状態から通常動作に復帰させる際に、図５に示すように、光源３１０の点灯までに遅延が生じる場合には、演算回路部２００が光源３１０を点灯させる制御を実行した後に、光源３１０の制御を演算回路部１００に移管するようにしてもよい。これによれば、ユーザによる入力操作に対する画面表示の遅延を、ユーザに認識させにくくすることができる。
【００４５】
（作用効果の検証）
次に、本実施形態に係る光源装置を備えた電子機器及びその制御方法における作用効果について、比較例を示して具体的に説明する。
図６は、本実施形態の作用効果を説明するための比較例を示す図である。図６（ａ）は、比較例における概略ブロック図であり、図６（ｂ）は、その制御方法を示すタイミングチャートである。ここでは、本実施形態と比較例との構成や制御方法の比較を明瞭にするために、本実施形態と同等の構成や制御方法については同等の符号を付して説明する。
【００４６】
比較例における光源装置は、例えば図６（ａ）に示すように、演算回路部１００Ｐと、光源３１０Ｐと、光源駆動回路３２０Ｐと、を有している。ここで、図示を省略するが、光源３１０Ｐは、透過型の表示パネルの背面側に配置されている。このような光源装置においては、演算回路部１００Ｐから出力される調光信号ＰＷＭｐ及び点灯制御信号ＥＮｐに基づいて、光源駆動回路３２０Ｐにより光源３１０の点灯状態及び発光輝度が制御される。
【００４７】
そして、このような構成を有する光源装置を、上述した本実施形態に示したような携帯型の電子機器に適用する場合、唯一の演算回路部１００Ｐにより、表示部やセンサ部、入力操作部、出力部等（いずれも図示を省略）が制御されることになる。そのため、演算回路部１００Ｐは、比較的処理能力が高く、かつ、消費電力の比較的高い演算回路（ハイパワー、ハイパフォーマンスのプロセッサ）を適用する必要がある。
【００４８】
このような光源装置を低消費電力で動作させるための手法としては、例えば図６（ｂ）に示すように、まず、演算回路部１００Ｐにより生成された各種の情報が表示パネルに表示されるとともに、光源３１０Ｐが点灯状態に制御される通常動作が実行される。そして、この通常動作において、表示パネルの画面表示が更新されず、かつ、ユーザによる入力操作が検出されない状態が、所定の時間（t1）継続した場合には、演算回路部１００Ｐは、パルス幅を短く設定した調光信号ＰＷＭｐを光源駆動回路３２０Ｐに出力して、光源３１０Ｐの発光輝度を減光するように設定した低消費電力動作を実行する。
【００４９】
そして、低消費電力動作における減光状態において、画面表示の更新や、ユーザによる入力操作が検出されない状態が所定の時間（t4）継続した場合には、演算回路部１００Ｐは、光源３１０を消灯状態に設定する点灯制御信号ＥＮ２を光源駆動回路３２０Ｐに出力して、光源３１０Ｐを消灯するとともに、休止状態に移行する。そして、この休止状態において、表示パネルの画面表示の更新や、ユーザによる入力操作を検出した場合には、演算回路部１００Ｐは休止状態から通常動作に復帰して、光源３１０Ｐを点灯状態に制御する。
【００５０】
このように、比較例における光源装置においては、演算回路部１００Ｐ単体で、光源３１０Ｐの発光状態を制御している。ここで、図６（ｂ）に示すように、表示パネルに表示する画面表示の表示状態に応じて光源３１０Ｐを点灯制御している期間（通常動作の期間）、及び、減光状態で光源３１０Ｐを点灯制御している期間（低消費電力動作の期間）中は、演算回路部１００Ｐから光源３１０Ｐの発光輝度を設定するための調光信号ＰＷＭｐを出力し続ける必要がある。そのため、演算回路部１００Ｐは、これらの期間中は休止状態に移行することができず、演算回路部１００Ｐの消費電力を十分に削減することができない。これは換言すると、減光状態の光源３１０Ｐを消灯制御した場合にのみ、演算回路部１００Ｐを休止状態に移行させることができるため、演算回路部１００Ｐを休止させることができる期間が短くなってしまい、演算回路部１００Ｐの消費電力を十分に削減することができないことを意味している。
【００５１】
これに対して、上述した本実施形態においては、処理能力の異なる２つの演算回路部１００、２００を備え、通常動作において、処理能力の高い演算回路部１００が表示部４００に所定の表示を行いつつ、光源部３００の光源３１０を所定の発光輝度で点灯させる発光制御を行う。そして、表示部４００における画面表示が更新されない状態や、ユーザによる入力操作が行われない状態が継続した場合には、演算回路部１００を休止状態に移行するとともに、処理能力が低い演算回路部２００により、光源部３００の光源３１０の発光制御や、ユーザによる入力操作を監視する動作を行う。すなわち、本実施形態に係る電子機器１０に適用される光源部３００は、演算回路部１００、２００間で通知信号を送受信して演算回路部１００と演算回路部２００とが連携して動作することにより、演算回路部１００、２００の双方から光源３１０の発光状態を制御することができるように構成されている。
【００５２】
このように、本実施形態においては、処理能力の高い演算回路部１００が光源部３００のみを制御していて、それ以外の処理動作がなく、演算回路部１００の処理動作に関わる負担が比較的小さい状態では、処理能力が低い演算回路部２００により、演算回路部１００の機能の一部を実行して、演算回路部１００を早期に休止状態に移行させることができるので、演算回路部１００を休止状態とする期間を極力長くして、演算回路部１００における消費電力を削減することができる。また、演算回路部１００が休止状態に設定されている期間以外では、演算回路部２００が演算回路部１００の機能の一部を実行する必要がないので、演算回路部２００を低消費電力で動作させることができる。したがって、本実施形態によれば、電子機器の駆動時間を改善することができる。なお、本実施形態においては、表示部４００の表示内容が頻繁に変更されるときは、処理能力の高い演算回路部１００で光源部３００を制御しているため、制御のタイムラグが無く表示内容に合わせた細かな光源の制御が可能となっている。そして、表示部４００の表示内容が変更されないときに、処理能力の低い演算回路部２００で光源部３００を制御するようにすることで、演算回路部１００の負荷を軽減して消費電力の削減を図ることができる。
【００５３】
＜第２の実施形態＞
次に、本発明に係る電子機器の第２の実施形態について、図面を参照して詳しく説明する。
図７は、本発明に係る電子機器の第２の実施形態を示す概略ブロック図である。ここで、上述した第１の実施形態と同等の構成については、同等の符号を付してその説明を簡略化する。
【００５４】
第１の実施形態においては、表示部４００に表示パネルが１個のみ設けられ、処理能力の高い演算回路部１００により表示状態を制御する構成について説明した。第２の実施形態においては、表示部４００に表示パネルを複数（ここでは２個）設け、演算回路部１００及び演算回路部２００のそれぞれが、個別の表示パネルの表示状態を制御する構成を有していることを特徴としている。
【００５５】
本実施形態に係る電子機器１０は、具体的には、例えば図７に示すように、処理能力が異なる２組の演算回路部１００及び演算回路部２００と、演算回路部１００により表示状態が制御される表示パネル（第１の表示パネル）４１０、及び、演算回路部２００により表示状態が制御される表示パネル（第２の表示パネル）４２０を備えた表示部４００とを有している。また、電子機器１０は、演算回路部１００と演算回路部２００の双方から光源３１０の発光状態が制御される光源部３００を有している。ここで、本実施形態において、図７に示した他の構成については、上述した第１の実施形態と同等であるのでその説明を省略する。
【００５６】
表示部４００は、図示を省略するが、表示パネル４１０、４２０のそれぞれに画像メモリと、表示ドライバとが設けられている。演算回路部１００において生成された各種の情報は画像メモリに保存され、表示ドライバにより所定の形態で表示パネル４１０に表示され、一方、演算回路部２００において生成された各種の情報は画像メモリに保存され、表示ドライバにより所定の形態で表示パネル４２０に表示される。
【００５７】
表示部４００に設けられる表示パネル４１０、４２０は、少なくともいずれか一方に透過型の表示パネルが適用される。そして、透過型の表示パネルの背面側には、光源部３００の光源３１０が配置される。ここで、表示パネル４１０、４２０は、ユーザの視野側から見て、平面的に重なることなく並列的に、又は、独立して配置された構成を有するものであってもよい。また、表示パネル４１０、４２０がいずれも透過型の表示パネルである場合には、例えば平面的に重なるように配置され、最背面側に光源３１０が配置された構成を有しているものであってもよい。
【００５８】
表示部４００に設けられる表示パネル４１０の表示状態を制御する演算回路部１００は、第１の実施形態に示したように、比較的処理能力が高い演算回路（ハイパワー、ハイパフォーマンスのプロセッサ）が適用される。そのため、表示パネル４１０は、高機能な表示（高精細な静止画や動画のカラー表示や視覚効果等）を実現できる表示パネルを適用することができる。具体的には、表示パネル４１０として、上述した第１の実施形態と同様に、例えば、透過型のＴＦＴカラー液晶パネル等を良好に適用することができる。
【００５９】
一方、表示部４００に設けられる表示パネル４２０の表示状態を制御する演算回路部２００は、第１の実施形態に示したように、比較的処理能力が低い演算回路（ローパワー、ローパフォーマンスのプロセッサ）が適用される。そのため、表示パネル４２０は、比較的低消費電力で表示駆動することができる表示パネルや、低消費電力で表示することができる画面表示が適用される。具体的には、表示パネル４２０として、例えば、屋外視認性に優れる反射型のＰＮ（Polymer Network）型やＰＤ（Polymer Dispersed）型の液晶パネル、電子ペーパーに用いられる表示パネル等を良好に適用することができる。あるいは、表示パネル４２０には、低消費電力で表示駆動することができる、時計表示や簡易な図形表示、静止画や画面表示の更新が少ない画像等が表示される。後者の場合には、表示パネル４２０は、ＰＮ型やＰＤ型の液晶パネル、電子ペーパー等に限定されるものではなく、表示パネル４１０と同様に、ＴＦＴカラー液晶パネル等を適用するものであってもよい。
【００６０】
このような構成を有する表示装置を備えた電子機器１０の制御方法は、上述した第１の実施形態（図４、図５参照）と同様に、通常動作において、処理能力の高い演算回路部１００が表示パネル４１０に高機能な表示を行いつつ、処理能力の低い演算回路部２００が表示パネル４２０に簡易な表示を行う。このとき、演算回路部１００と演算回路部２００とは、連携通信部１５０、２５０を介して通知信号を送受信することにより相互に連携して、各表示パネル４１０、４２０の表示状態に応じて、演算回路部１００により光源部３００の光源３１０を所定の発光輝度で点灯させる発光制御を行う。
【００６１】
ここで、表示パネル４１０、４２０が平面的に重なることなく並列的に、又は、独立して配置された構成を有する場合には、透過型の表示パネル（例えば表示パネル４１０及び表示パネル４２０）の背面側から光源３１０の光が照射されることにより、当該表示パネルの画面表示がユーザに視認される。また、表示部４００が非透過型の表示パネルを有している場合（例えば表示パネル４２０）には、その画面表示がユーザに直接視認される。一方、透過型の表示パネル４１０、４２０が平面的に重なるように配置された構成を有している場合には、表示パネル４１０、４２０の最背面側から光源３１０の光が照射されることにより、当該表示パネル４１０、４２０の画面表示が合成されて、より高機能な表示としてユーザに視認される。
【００６２】
そして、表示パネル４１０における画面表示が更新されない状態や、ユーザによる入力操作が行われない状態が所定時間（t1）継続した場合には、演算回路部１００は、低消費電力動作に移行して、光源３１０の発光輝度を減光する。この減光状態において、表示パネル４１０における画面表示が更新されない状態や、ユーザによる入力操作が行われない状態がさらに所定の時間（t2）継続した場合には、演算回路部１００は演算回路部２００に所定の通知信号を送信して、休止状態に移行する。これにより、演算回路部２００は、演算回路部１００に代わって光源部３００の光源３１０の発光制御や、ユーザによる入力操作を監視する動作を行う。
【００６３】
そして、表示パネル４１０における画面表示の更新や、ユーザによる入力操作を検出した場合には、演算回路部２００は演算回路部１００に所定の通知信号を送信して、演算回路部１００を休止状態から通常動作へ復帰させる。これにより、演算回路部１００は、表示パネル４１０に高機能な表示を行うとともに、演算回路部２００と相互に連携して、各表示パネル４１０、４２０の表示状態に応じて、光源３１０を所定の発光輝度で点灯させる発光制御を行う。
【００６４】
このように、本実施形態においても、上述した第１の実施形態と同様に、処理能力の高い演算回路部１００が光源部３００のみを制御していて、それ以外の処理動作がなく、演算回路部１００の処理動作に関わる負担が比較的小さい状態では、処理能力が低い演算回路部２００により、演算回路部１００の機能の一部を実行して、演算回路部１００を早期に休止状態に移行させることができる。これにより、演算回路部１００における休止状態の期間を極力長くすることができるので、演算回路部１００における消費電力を削減することができる。したがって、電子機器の駆動時間を改善することができる。
【００６５】
なお、本実施形態においては、通常動作における光源３１０の発光制御の手法として、演算回路部２００と連携した演算回路部１００により統括的に行う手法を示したが、本発明はこれに限定されるものではない。本発明に係る電子機器は、例えば、透過型の表示パネル４１０にのみ画像の表示を行う場合には演算回路部１００により光源３１０を発光制御し、透過型の表示パネル４２０にのみ画像の表示を行う場合には演算回路部２００により光源３１０を発光制御するものであってもよい。この場合においても、上述したように、表示パネル４１０における画面表示が更新されない状態や、ユーザによる入力操作が行われない状態が所定時間（t1＋t2）継続した場合には、演算回路部１００が休止状態に移行するとともに、演算回路部２００により光源３１０の発光制御が行われる。また、両方の表示パネル４１０、４２０に連携する画像や独立した画像を表示する場合には、表示パネル４１０に簡易な画像や静止画を表示を行う場合や、表示パネル４１０が画像の表示を所定期間保持するメモリ性を有する場合のように、画面表示の書き換え回数が少ない場合は、演算回路部１００を休止状態に移行させて、処理能力の低い演算回路部２００により光源３１０の制御を行うものであってもよい。これによれば、演算回路部１００における消費電力を抑制することができる。一方、表示パネル４１０に動画表示をする場合のように、画面表示の書き換え回数が多く、演算回路部１００が常時動作しているような場合には、処理能力の高い演算回路部１００により光源３１０の制御を行うものであってもよい。これによれば、高機能な表示を良好に実現して、表示品質を向上させることができる。
【００６６】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００６７】
（付記）
［１］
第１の演算回路部と、
消費電力が前記第１の演算回路部よりも低い第２の演算回路部と、
前記第１の演算回路部又は前記第２の演算回路部から出力される光源制御信号に基づいて発光状態が制御される光源部と、
を備え、
前記第１の演算回路部の動作状態から休止状態への移行にあわせて、前記第１の演算回路部を、前記光源部の制御状態から前記光源部の非制御状態へ切り換えるとともに、前記第２の演算回路部を、前記光源部の非制御状態から前記光源部の制御状態に切り換えることを特徴とする光源装置。
【００６８】
［２］
更に、前記第１の演算回路部に接続されて、該第１の演算回路部により制御される周辺回路部を有し、
前記第１の演算回路部が前記制御状態で前記光源部を制御しているとともに前記周辺回路部を制御している状態から、該第１の演算回路部が前記周辺回路部の制御を行う必要がない状態になったときに、前記第２の演算回路部を、前記非制御状態から前記制御状態に移行させることを特徴とする［１］に記載の光源装置。
【００６９】
［３］
前記第２の演算回路部が前記制御状態となっている間に、前記第１の演算回路部が前記周辺回路部の制御を行うことが必要な状態になったときに、前記第１の演算回路部を、前記非制御状態から前記制御状態に移行させることを特徴とする［２］に記載の光源装置。
【００７０】
［４］
前記第１の演算回路部は、前記第２の演算回路部と相互に連携して動作するための制御信号を、前記第２の演算回路部との間で互いに送受信する連携通信部を有し、
前記第１の演算回路部は、前記休止状態において、前記連携通信部の、前記第２の演算回路部から送信される、前記第１の演算回路部を前記休止状態から前記制御状態に移行させるための特定の制御信号を受信する回路部を除き、前記光源制御信号を出力する回路部を含む部分の動作が停止した状態にされることを特徴とする［１］乃至［３］のいずれかに記載の光源装置。
【００７１】
［５］
第１の演算回路部と、
前記第１の演算回路部により表示状態が制御される透過型の第１の表示パネルと、
消費電力が前記第１の演算回路部よりも低い第２の演算回路部と、
前記第１の表示パネルの背面側又は視野側に配置され、前記第１の演算回路部又は前記第２の演算回路部から出力される光源制御信号に基づいて発光状態が制御される光源部と、
を備え、
前記第１の演算回路部の動作状態から休止状態への移行にあわせて、前記第１の演算回路部を、前記光源部の制御状態から前記光源部の非制御状態へ切り換えるとともに、前記第２の演算回路部を、前記光源部の非制御状態から前記光源部の制御状態に切り換えることを特徴とする電子機器。
【００７２】
［６］
更に、利用者の入力操作に関連する信号を検出する検出部を備え、
前記第１の演算回路部及び前記第２の演算回路部は、前記第１の表示パネルにおける前記表示状態、及び、前記検出部による前記検出の結果に応じて、前記光源部を選択的に制御することを特徴とする［５］に記載の電子機器。
【００７３】
［７］
前記第１の演算回路部及び前記第２の演算回路部は、
前記第１の演算回路部が前記制御状態となっている間に、前記検出部により前記利用者の入力操作が検出されず、かつ、前記第１の表示パネルに表示する情報の更新が行われない期間が所定の時間を越えたときに、前記第１の演算回路部を前記休止状態に設定して、前記第２の演算回路部を前記制御状態に設定し、
前記第２の演算回路部が前記制御状態になっている間に、前記検出部により前記利用者の入力操作が検出されたとき、又は、前記第１の表示パネルに表示する情報の更新が行われたとき、前記第１の演算回路部を、前記休止状態から前記制御状態に移行させることを特徴とする［６］に記載の電子機器。
【００７４】
［８］
更に、前記第２の演算回路部により表示状態が制御される第２の表示パネルを有することを特徴とする［５］乃至［７］のいずれかに記載の電子機器。
【００７５】
［９］
前記第２の表示パネルは透過型の表示パネルであって、
前記光源部は前記第１の表示パネル及び前記第２の表示パネルの背面側に配置されていることを特徴とする［８］に記載の電子機器。
【００７６】
［１０］
前記第２の表示パネルは透過型の表示パネルであって、
前記第１の表示パネルと前記第２の表示パネルが、前記利用者の視野側から見て平面的に重なるように配置され、前記光源部が前記第１の表示パネル及び前記第２の表示パネルの最背面側に配置されていることを特徴とする［８］に記載の電子機器。
【００７７】
［１１］
前記第１の演算回路部は、前記第２の演算回路部と相互に連携して動作するための制御信号を、前記第２の演算回路部との間で互いに送受信する連携通信部を有し、
前記第１の演算回路部は、前記休止状態において、前記連携通信部の、前記第２の演算回路部から送信される、前記第１の演算回路部を前記休止状態から前記制御状態に移行させるための特定の制御信号を受信する回路部を除き、前記光源制御信号を出力する回路部を含む部分の動作が停止した状態にされることを特徴とする［５］乃至［１０］のいずれかに記載の電子機器。
【００７８】
［１２］
第１の演算回路部と、前記第１の演算回路部により表示状態が制御される透過型の第１の表示パネルと、消費電力が前記第１の演算回路部よりも低い第２の演算回路部と、前記第１の表示パネルの背面側又は視野側に配置され、前記第１の演算回路部又は前記第２の演算回路部から出力される光源制御信号に基づいて発光状態が制御される光源部と、を有し、
前記第１の演算回路部を動作状態から休止状態への移行にあわせて、
前記第１の演算回路部を、前記光源部の制御状態から前記光源部の非制御状態へ切り換え、
前記第２の演算回路部を、前記光源部の非制御状態から前記光源部の制御状態に切り換えることを特徴とする電子機器の制御方法。
【００７９】
［１３］
第１の演算回路部と、前記第１の演算回路部により表示状態が制御される透過型の第１の表示パネルと、消費電力が前記第１の演算回路部よりも低い第２の演算回路部と、前記第１の表示パネルの背面側又は視野側に配置され、前記第１の演算回路部又は前記第２の演算回路部から出力される光源制御信号に基づいて発光状態が制御される光源部と、を有し、
前記第１の演算回路部及び前記第２の演算回路部を備えるコンピュータに、
前記第１の演算回路部を動作状態から休止状態への移行にあわせて、
前記第１の演算回路部を、前記光源部の制御状態から前記光源部の非制御状態へ切り換えさせ、
前記第２の演算回路部を、前記光源部の非制御状態から前記光源部の制御状態に切り換えさせることを特徴とする電子機器の制御プログラム。
【符号の説明】
【００８０】
１０      電子機器
４０      表示パネル
１００、２００    演算回路部
１２０、２２０    入力操作部
１４０、２４０    メモリ部
１５０、２５０    連携通信部
２１０    センサ部
３００    光源部
３１０    光源
３２０    光源駆動回路
３３０    制御信号選択回路
４００    表示部
４１０、４２０    表示パネル
５００    電源部
【図１】
0006432767.tif 000002
【図２】
0006432767.tif 000003
【図３】
0006432767.tif 000004
【図４】
0006432767.tif 000005
【図５】
0006432767.tif 000006
【図６】
0006432767.tif 000007
【図７】
0006432767.tif 000008